(57)【特許請求の範囲】
【請求項１】
下板の上面に単数又は複数の足裏つぼに対応する複数のブロック毎に区画壁を立設し、
該区画壁の上端及び上記下板の外周壁の上端に一体に接続する上板よりなり、
上記ブロックがそれぞれ外周壁の内面に接し、
該内面に上記ブロック毎に逆止弁ゴムを一体に設け、外周壁の外面から上記ゴムに向う注射針孔を穿設し、上記ブロックの内部に足裏つぼに細分する細分壁を下板上面に立設し、該細分壁の両側部を連通させ、かつ該細分壁の先端又は屈曲部には下板に固定した円筒形小立柱を立設し、細分壁を強化してなる健康中敷。
【請求項２】
上記注射針孔に代り外周壁の外面に上記ゴムに対応する位置に注射針刺入マークを表示した請求項１記載の健康中敷。
【請求項３】
上記区画壁、外周壁、細分壁又は上板が衝撃吸収ゴムによって形成された請求項１又は２のいずれかに記載の健康中敷。
【請求項４】
上記注射針孔又は注射針刺入マークから逆止弁ゴムを経て上記ブロック内に注射針を刺入するエアーポンプを備えた請求項１〜３のいずれかに記載の健康中敷。
【請求項５】
請求項１〜４のいずれかに記載の中敷であって下板が靴底の上面を形成してなる健康靴。
【発明の詳細な説明】
【０００１】
【発明の属する技術分野】
本発明は靴の健康中敷及び健康靴に関するものである。
【０００２】
【従来の技術】
靴メーカーは日本国中には数多く有り、又、外国からも多数のシューズメーカーが日本国内のシェアーを競い合って販売しているが、総てのメーカーはデザインや運動機能性を考慮して製作しているのみである。
【０００３】
しかしレストラン、喫茶店、焼鳥屋等では小さなスペースの中で６時間〜８時間の立ち仕事を続けなくてはならない。
【０００４】
このような従来形の靴では２〜３時間は立ち仕事に何とか耐えられるが、それ以上は足全体と足のかかとの痛みが限界を超えてつらいが、仕事と割きり、只、辛抱するしかなかったのが現状であった。
【０００５】
中国医学では足裏健康法において人間の五臓六腑の健康か否かは足裏に連なり、尚、首筋、肩凝り、指先の血行の良し悪しも足裏にあるとされている。
【０００６】
【発明が解決しようとする課題】
本発明は工場、飲食業界、美容・理容業界、店員他諸々の立ち仕事に従事している人達の足裏を改善し、立ち仕事において足裏の血行を良くし、長時間の立ち仕事に耐えられる靴の中敷（インソール）及び健康靴を得ることを目的とする。
【０００７】
【課題を解決するための手段】
上記の目的を達成するため本発明は、
下板の上面に単数又は複数の足裏つぼに対応する複数のブロック毎に区画壁を立設し、該区画壁の上端及び上記下板の外周壁の上端に一体に接続する上板よりなり、上記ブロックがそれぞれ外周壁の内面に接し、該内面に上記ブロック毎に逆止弁ゴムを一体に設け、外周壁の外面から上記ゴムに向う注射針孔を穿設し、上記ブロックの内部に足裏つぼに細分する細分壁を下板上面に立設し、該細分壁の両側部を連通させ、かつ該細分壁の先端又は屈曲部には下板に固定した円筒形小立柱を立設し、細分壁を強化してなる健康中敷、
上記注射針孔に代り外周壁の外面に上記ゴムに対応する位置に注射針刺入マークを表示した上記第１発明記載の健康中敷、
上記区画壁、外周壁、細分壁又は上板が衝撃吸収ゴムによって形成された上記第１又は第２発明のいずれかに記載の健康中敷、
上記注射針孔又は注射針刺入マークから逆止弁ゴムを経て上記ブロック内に注射針を刺入するエアーポンプを備えた上記第１〜第３発明のいずれかに記載の健康中敷、
上記第１〜第４発明のいずれかに記載の中敷であって下板が靴底の上面を形成してなる健康靴、
によって構成される。
【０００８】
従って複数のブロックのいずれかの内部に注射針を刺入し、エアーポンプによって当該ブロック内に気体、軟体又はゲル等を注入又は排出させて当該ブロックの上板を膨隆又は萎縮させ、それによって足裏のつぼ部を体重によって押圧又は膨張させ当該つぼ部を刺激することができる。
【０００９】
【発明の実施の形態】
ゴム又は衝撃吸収ゴムによる足形下板１の上面に、１個の足裏つぼ（副甲状腺のつぼ、腰のつぼ）に対応するブロック２及び複数の足裏つぼ（頭と目、目と耳等）に対応するブロック２毎にゴム又は衝撃吸収ゴム製区画壁３を立設する。
【００１０】
区画壁３による上記ブロック２は該区画壁３によって相互に閉鎖され、上記下板１の外周壁４の内面にそれぞれ接している。
【００１１】
上記区画壁３，３及び外周壁４の上端部に一体に接する足形上板５によって上記各ブロック２は上下板１，５間に閉鎖状態又は密閉状態に配置され、１５個のブロック２，２によって形成される。
【００１２】
上記ブロック２，２中１個の足裏つぼに対応するものは副甲状腺に対応するブロック２及び腰に対応するブロック２である。
【００１３】
外周壁４の内面４’には上記ブロック２毎に半球形逆止弁ゴム６を外周壁４と一体に内側に突設し、外周壁４の外面から上記逆止弁ゴム６に向う注射針孔７を穿設する。
【００１４】
上記注射針孔７を穿設することなく外周壁４の外面に上記逆止弁ゴム６に対応する位置に注射針刺入マーク７’を表示するのみでも差支えない。
【００１５】
このようにした上記ブロック２の内部には足裏つぼに細分する細分壁８をゴム又は衝撃吸収ゴムによって形成し、これを下板１の上面に立設し、該細分壁８の両側部を連通させ（図２、図３）、比較的広い上記ブロック２の空間における上板５の下面を支持するものである。
【００１６】
副甲状腺の足裏つぼのように比較的狭い上記ブロック２内には上記細分壁８を設ける必要はないが、腰の足裏つぼのように比較的広い上記ブロック２内には足裏つぼが腰のみであっても細分壁８を設ける。
【００１７】
上記上下板１，５の高さは図１に示すように高低が設けられるが図５（イ）図に示すように一定高さの平板状に形成することができる。
【００１８】
細分壁８の先端又は屈曲部には下板１に固定した円筒形小立柱８’を立設し、細分壁８を強化する。
【００１９】
上記下板１は靴底１１（アウトソール）の上面を形成し、該靴底１１と一体に形成することができ、外周壁４を靴底１１と一体の外周壁４となし健康靴とすることができる。
【００２０】
上記注射針孔７又は注射針刺入マーク７’から逆止弁ゴム６に向って刺入し、さらに逆止弁ゴム６を経て上記ブロック２内に刺入された注射針９は図４に示すようにステンレスシリンダー１２の先端に螺合したキャップ１３に設けられ、シリンダー１２内にはロッド挿入キャップ１４からロッド１５を挿入し、該ロッド１５の先端に設けた逆止プレート１６と押えゴム１７との間に革製パッキング１８がボルト１９で締付けて設けられ、該パッキング１８の外周をロッド１５の先端に向って屈曲しステンレス製のエアーポンプ１０を形成し、ロッド１５及びパッキング１８の前進後退によってシリンダー１２内の空気を注射針９を経てブロック２内に注入し又は抜気することができる。
【００２１】
上記注入によって当該ブロック２上の上板５は上方に膨隆し、該ブロック２に当る足裏つぼをソフトに刺激し内臓その他、足の疲れや筋肉のこりをほぐすことができる。
【００２２】
又上記ブロック２から上記ポンプ１０によってエアーを抜気し、胃の悪い人は胃の足裏つぼ部のブロック２に該ポンプ１０によってエアーを注入し、上板５を膨隆させて胃の改善を立った状態で行い長時間の立ち仕事を行うことができる。
【００２３】
上記エアーポンプ１０は大気中の空気をロッド１５の外端に設けた把手２０を把持し、これをシリンダー１２に対し往復動させることによって注射針９からエアーを出入させることができるが、エアーのみならず小形窒素ガスボンベから窒素ガスを出入させ上記ブロック２に窒素ガスを出入させることができ、ゲルを注出入させて靴底の重量を調整することができる。
【００２４】
尚図中２１で示すものは靴底１１の下面襞である。
【００２５】
【発明の効果】
本発明は上述のように構成したので、デパート、スーパーマーケット、生鮮ストア、ドラッグストア、飲食店全般、理髪店、美容室、レストランの店員、工場の職工、病院の職員、医師、看護婦、看護士、その他の立ち仕事の多いあらゆる職業において、上記中敷のブロックをその人に応じて膨縮させ得てその人に応じたつぼ部療法を立ったまま又は立ち仕事中に行い得て長時間の立ち仕事に対応し得る効果がある。
【図面の簡単な説明】
【図１】本発明の健康中敷を装着した健康靴を示す側面図である。
【図２】上板を剥離した状態であって図１Ａ−Ａ線による平面図である。
【図３】図２Ｂ−Ｂ線による縦断面図である。
【図４】ステンレス製エアーポンプの一部切欠縦断面図である。
【図５】（イ）図は健康中敷の斜視図である。
（ロ）図は上記中敷を敷く靴の斜視図である。
【符号の説明】
１      下板
２      ブロック
３      区画壁
４      外周壁
４’    内面
５      上板
６      逆止弁ゴム
７      注射針孔
７’    注射針刺入マーク
８      細分壁
９      注射針
１０      エアーポンプ
１１      靴底
【図１】
0003623186.tif 000002
【図２】
0003623186.tif 000003
【図３】
0003623186.tif 000004
【図４】
0003623186.tif 000005
【図５】
0003623186.tif 000006